(57)【要約】【課題】高級感を増大させることができる携帯情報機器を提供する。【解決手段】操作側筐体２に対し表示側筐体４が折り畳み式に開閉されるフリップ式の携帯情報機器において、表示側筐体４の外側となる部分１３に凹部１４を形成し、この凹部１４に指針表示時計２１を嵌め込んで、当該指針表示時計２１を固定具１５で固定した。【選択図】      図２
2004221863.tif 000002
【特許請求の範囲】
【請求項１】
操作側筐体に対し表示側筐体が折り畳み式に開閉されるフリップ式の携帯情報機器において、
表示側筐体を閉じたときに外側となる部分に指針表示時計を着脱可能に固定したことを特徴とする携帯情報機器。
【請求項２】
操作側筐体に対し表示側筐体が折り畳み式に開閉されるフリップ式の携帯情報機器において、
表示側筐体を閉じたときに外側となる部分に凹部を形成し、この凹部に指針表示時計を嵌め込んで、この指針表示時計を固定具で固定したことを特徴とする携帯情報機器。
【請求項３】
前記表示側筐体の凹部の周縁にねじ部を形成し、このねじ部にリングを螺号させて、前記指針表示時計を固定したことを特徴とする請求項２記載の携帯情報機器。
【請求項４】
前記表示側筐体の凹部の周縁に係止部を形成し、この係止部に前記固定具を係止させて、前記指針表示時計を固定したことを特徴とする請求項２記載の携帯情報機器。
【請求項５】
前記表示側筐体の外側となる部分を覆うカバーを有し、このカバーによって、前記指針表示時計を固定したことを特徴とする請求項１又は２記載の携帯情報機器。
【請求項６】
前記指針表示時計には第１及び第２の導通接点を設け、これら接点に携帯情報機器の第１及び第２の導通接点を接続可能に構成したことを特徴とする請求項１乃至５のいずれか一項記載の携帯情報機器。
【請求項７】
前記導通接点は電源端子を含むことを特徴とする請求項６記載の携帯情報機器。
【請求項８】
前記導通接点はムーブメントに駆動信号を供給するための駆動端子を含むことを特徴とする請求項６記載の携帯情報機器。
【請求項９】
前記指針表示時計には第１、第２及び第３の導通接点を設け、これら接点に携帯情報機器の第１、第２及び第３の導通接点を接続可能に構成したことを特徴とする請求項１乃至５のいずれか一項記載の携帯情報機器。
【請求項１０】
前記導通接点は電源端子を含むことを特徴とする請求項９記載の携帯情報機器。
【請求項１１】
前記導通接点はムーブメントに駆動信号を供給するための駆動端子を含むことを特徴とする請求項９記載の携帯情報機器。
【請求項１２】
前記指針表示時計の６時側を、前記操作側筐体及び前記表示側筐体のヒンジ側に配置したことを特徴とする請求項１乃至１１のいずれか一項記載の携帯情報機器。
【請求項１３】
前記表示側筐体のオープン角度に応じて、携帯情報機器側のメイン液晶表示電源をオンオフさせる手段を備えたことを特徴とする請求項１２記載の携帯情報機器。
【発明の詳細な説明】
【０００１】
【発明の属する技術分野】
この発明は、フリップ式の携帯電話やＰＤＡなどの携帯情報機器に関する。
【０００２】
【従来の技術】
現在、画面表示部と操作部とがヒンジ構造により結合し、このヒンジ構造により開閉可能なフリップ式の携帯電話が人気である。このフリップ式の携帯電話は、筐体を開いたときに通話側となる面に液晶表示パネルや有機ＥＬ（Ｅｌｅｃｔｒｏ  Ｌｕｍｉｎｅｓｃｅｎｃｅ）パネルによる画像表示部、複数のボタンやジョグダイヤル等の操作部が位置している（例えば、特許文献１参照）。また、最近では、比較的高価な携帯電話には、筐体を閉じたときにも情報を表示できるように、画像表示部の反対面に比較的小さな画像表示部が設けられていることが多くなっている。この小さな画像表示部には、主に電力残量、電波状態、着信表示、デジタル時計等がデジタル表示されている。
ところで、最近の携帯電話の普及により腕時計を持たないユーザーが増えている。彼らは時刻を知りたい場合、携帯電話の小さい画面表示部やメインの画像表示部に表示されている時計を見ることで、時刻を認識する。また、流行しているカフェ等では、女性がテーブル上に携帯電話を置き、クロック代わりにしている風景が見られるようになった。
【特許文献１】
特開２００２−９９１４号公報（図３）
【０００３】
【発明が解決しようとする課題】
しかしながら、上記従来のフリップ式の携帯電話は依然として液晶表示パネルや有機ＥＬパネルに時刻を表示しており、高級感やお洒落さに欠けるといった問題点がある。また、筐体の外側に設けた小さい画像表示部には、液晶パネルや有機ＥＬパネルが用いられ、時刻がデジタル表示されているのが現状であり、十分な視認性が確保されていないといった問題があった。
本発明は上述した事情に鑑みてなされたものであり、筐体を閉じた状態であっても時刻の視認性を十分に確保できると共に、高級感を有する携帯情報機器を提供することを目的とする。
【０００４】
【課題を解決するための手段】
請求項１記載の発明は、操作側筐体に対し表示側筐体が折り畳み式に開閉されるフリップ式の携帯情報機器において、表示側筐体を閉じたときに外側となる部分に指針表示時計を着脱可能に固定したことを特徴とする。
請求項２記載の発明は、操作側筐体に対し表示側筐体が折り畳み式に開閉されるフリップ式の携帯情報機器において、表示側筐体を閉じたときに外側となる部分に凹部を形成し、この凹部に指針表示時計を嵌め込んで、この指針表示時計を固定具で固定したことを特徴とする。
【０００５】
請求項３記載の発明は、請求項２記載のものにおいて、前記表示側筐体の凹部の周縁にねじ部を形成し、このねじ部にリングを螺号させて、前記指針表示時計を固定したことを特徴とする。
請求項４記載の発明は、請求項２記載のものにおいて、前記表示側筐体の凹部の周縁に係止部を形成し、この係止部に前記固定具を係止させて、前記指針表示時計を固定したことを特徴とする。
請求項５記載の発明は、請求項１又は２記載のものにおいて、前記表示側筐体の外側となる部分を覆うカバーを有し、このカバーによって、前記指針表示時計を固定したことを特徴とする。
これらの発明では、固定具を外すだけで、表示側筐体から指針表示時計を極めて簡単に取り外すことができる。従って、指針表示時計を他種類準備しておけば、その日の気分に応じ、異なる種類の指針表示時計を携帯情報機器に取り付けて、外出することができる。上記構成では、ファショナブルでありながら時刻表示も十分視認し易いものとなる。
【０００６】
請求項６記載の発明は、請求項１乃至５のいずれか一項記載のものにおいて、前記指針表示時計には第１及び第２の導通接点を設け、これら接点に携帯情報機器の第１及び第２の導通接点を接続可能に構成したことを特徴とする。
請求項７記載の発明は、請求項６記載のものにおいて、前記導通接点は電源端子を含むことを特徴とする。
請求項８記載の発明は、請求項６記載のものにおいて、前記導通接点はムーブメントに駆動信号を供給するための駆動端子を含むことを特徴とする。
請求項９記載の発明は、請求項１乃至５のいずれか一項記載のものにおいて、前記指針表示時計には第１、第２及び第３の導通接点を設け、これら接点に携帯情報機器の第１、第２及び第３の導通接点を接続可能に構成した。
請求項１０記載の発明は、請求項９記載のものにおいて、前記導通接点は電源端子を含むことを特徴とする。
請求項１１記載の発明は、請求項９記載のものにおいて、前記導通接点はムーブメントに駆動信号を供給するための駆動端子を含むことを特徴とする請求項９記載の携帯情報機器。
【０００７】
これらの発明では、指針表示時計の導通接点と、携帯情報機器の導通接点とが表示側筐体の内側で接続されるため、いずれかの電源を共通使用することができるし、各接点がワンタッチ接続されれば、余分な配線等を外すことなく、固定具を取り外すだけで、表示側筐体から、指針表示時計を簡単に取り外すことができる。また、このように構成すれば、例えば、各制御信号用接点を介して時刻修正信号を送る構成とすることが可能になる。この場合、各時計の内、いずれかの時計の時刻修正がおこなわれた場合、この修正動作と連動して、他の時計の時刻も自動的に修正することも可能になる。時計駆動のＩＣが２つあるので、精度の高い時計の水晶振動子による歩度情報を携帯電話側に受け渡し、携帯電話側の時刻精度を指針時計と同一にすることが可能になる。
【０００８】
請求項１２記載の発明は、請求項１乃至１１のいずれか一項記載のものにおいて、前記指針表示時計の６時側を、前記操作側筐体及び前記表示側筐体のヒンジ側に配置したことを特徴とする。
請求項１３記載の発明は、請求項１２記載のものにおいて、前記表示側筐体のオープン角度に応じて、携帯情報機器側のメイン液晶表示電源をオンオフさせる手段を備えたことを特徴とする。
これらの発明では、表示側筐体をオープンさせた状態で、これを置き時計として使用することができる。ここで、置き時計として使用されるオープン角度θでは、メイン液晶表示電源が入らない構成とすれば、置き時計として使用する場合、不要な消費電力が削減される。
【０００９】
【発明の実施の形態】
以下、本発明の一実施形態を、添付した図面に基づいて説明する。
図１は、この発明の一実施形態に係る携帯電話を示す斜視図、図２は、図１に示した携帯電話の断面構成図である。この携帯電話１は、図１Ａに示すように、操作側筐体２に対し、ヒンジ部３を介して、表示側筐体４が開閉自在に連結された構造となるフリップ式の携帯情報機器である。表示側筐体４には、図１Ｂに示すように、ディスプレイ５及びスピーカー６が設けられ、操作側筐体２には、操作パネル（操作キー）８及びマイク９が設けられている。また、図２に示すように、携帯電話１の制御等を行う回路基板１０は、表示側筐体４側に主に内蔵され、電源１２は操作側筐体２に内蔵されている。
【００１０】
表示側筐体４の外側面、即ち、表示側筐体４を閉じた状態で外側となる部分１３には、ほぼ円形状の凹部１４が形成され、この凹部１４には、アナログ・クオーツ時計（指針表示時計）２１が嵌め込まれ、このアナログ・クオーツ時計２１は、フック式の固定具１５を介して、ユーザーによって容易に着脱可能な状態で表示側筐体４に固定されている。ここで、アナログ・クオーツ時計２１は、ムーブメント、文字板、針を含み、固定具１５は、文字板、針を保護するためのカバーガラスを含むものとする。ただし、これに限定されず、アナログ・クオーツ時計２１は、ムーブメント、文字板、針を含み、これらをケーシングに包み込み、このケーシングの外面にねじ部を形成したり、フックなどの係止部を設けて表示側筐体４に固定してもよい。即ち、ケーシングは、前記ムーブメント、文字板、針の保護をすると共に、固定具１５として機能させてもよい。また、当該ケーシングを、表示側筐体４に固定する固定具として両面テープを用いて固定してもよい。当該ケーシングを用いた場合、文字板、指針などの外観表示部材がガードされているため、ユーザーがそれらに触れることが防止できることにより、外観表示部材を汚したり、破損してしまうことを防止することができる。よって、時計２１の取扱いを慎重に行う必要が無くなり、着脱作業が容易なものにすることができる。上記凹部１４には底が存在したが、これに限定されず、凹部１４が、上記表示側筐体４の板材を貫通した孔であってもよい。
【００１１】
上記構成では、表示側筐体４に凹部１４を設け、この凹部１４にアナログ・クオーツ時計２１を嵌め込んだが、これに限定されるものではなく、凸部を設けて、この凸部にアナログ・クオーツ時計２１の凹部を嵌め込んで固定してもよいし、表示側筐体４の面を平らな面にして、この面にアナログ・クオーツ時計２１を置き、固定具で固定してもよい。なお、凹部を形成すると、時計２１を携帯電話に固定する前の位置決めが容易に行なえる。
固定具１５のフック１５Ａは、周方向にほぼ等間隔に３個所に配置され、アナログ・クオーツ時計２１を覆うように、固定具１５が押し込まれると、それぞれ凹部１４の内周壁に形成された係止孔（図示せず）に係止される。アナログ・クオーツ時計２１の電源は、携帯電話１の電源１２とは別電源であり、アナログ・クオーツ時計２１に内蔵されている。
【００１２】
図３は、アナログ・クオーツ時計２１のムーブメント構成を示すブロック図である。このアナログ・クオーツ時計２１は、電池５００、水晶振動子（クオーツ）５０１、発振回路５０１、分周回路５０３、駆動回路５０４、ステップモータ５０５、五番車５０６、四番車５０７、三番車５０８、二番車５０９、日の裏車５１０、筒車５１１を備えて構成されている。
四番車５０７に秒針５１２、二番車５０９に分針５１３、筒車５１１に時針５１４が取り付けられている。なお、アナログ・クオーツ時計２１の構成は、同図に示すものに限らず、公知となる全てのアナログ・クオーツ時計２１の構成を採用できる。このアナログ・クオーツ時計２１の電源５００には、例えば、ボタン電池や太陽電池、二次電池等が用いられる。
なお、この携帯電話１では、アナログ・クオーツ時計２１による表示が機械的なアナログ表示であれば良いので、これら以外にも様々なデザインを施したものを用いることができる。
【００１３】
本実施形態では、表示側筐体４を閉じたとき外側となる部分１３に、アナログ・クオーツ時計２１が設けられるため、従来のように、液晶式デジタル時計を設けたものと比べ、無機質とならず、立体感が得られるため高級感やお酒落さを持ったものとなり、時刻の視認性が向上すると共に、携帯情報機器の高級感を増大させることができる。また、一見して変わった携帯電話１であることが判るため、新製品に敏感なユーザーによる購入が促進され、商業的に大きな成功を収めるものと思われる。上記構成では、携帯電話１と、アナログ・クオーツ時計２１とが電気的に接続されていないため、フック式の固定具１５を外すだけで、表示側筐体４から、アナログ・クオーツ時計２１を極めて簡単に取り外すことができる。
従って、アナログ・クオーツ時計２１を他種類準備しておけば、その日の気分に応じ、異なる種類のアナログ・クオーツ時計２１を携帯電話１に取り付けて、外出することができる。上記構成では、ファショナブルでありながら時刻表示も十分視認し易いものとなる。
時計２１は、文字板の色、デザイン、指針の形状や色等を変えることにより、幅広いデザイン展開が可能である。従って、時計２１のデザインを種々準備し、これを交換することによって、機器のデザインのイメージチェンジを図ることができ、携帯電話１のいわゆる着せ替えを楽しむことができる。
【００１４】
アナログ・クオーツ時計２１の固定手段としては、上記フック式の固定具１５に限定されるものではない。
例えば、図４に示すように、表示側筐体４の凹部１４にゴム製の押さえ部材２２を介してアナログ・クオーツ時計２１を嵌め込む。そして、表示側筐体４の凹部１４の周縁に凸部２３及びねじ部を形成し、このねじ部にリング２４を螺号させ、このリング２４によって上記押さえ部材２２を介してアナログ・クオーツ時計２１を、表示側筐体４に押圧固定しても良い。この場合、凸部２３を形成せずに、表示側筐体４の凹部１４の周縁にねじ部を形成し、このねじ部に上記リング２４を螺合させる構成にしても良い。
前記押さえ部材２２を用いなくとも、アナログ・クオーツ時計２１を上方に押し上げるばね部材をムーブメント、ケーシングあるいは表示側筐体のいずれかに直接形成しても良いし、時計と筐体の間に、時計を上方に押し上げる押し上げ部材を用いて押し上げるで構成しても良い。
【００１５】
図５に示すように、表示側筐体４を閉じたとき外側となる部分のほぼ全域を覆うカバー２５を有し、このカバー２５を表示側筐体４の外側にねじ２６で止めて、アナログ・クオーツ時計２１を、表示側筐体４に固定しても良い。この構成では、表示側筐体４を閉じたとき外側となる部分のほぼ全域がカバー２５で覆われるため、このカバー２５のデザインを種々準備し、カバー２５毎、アナログ・クオーツ時計２１を交換する等によって、携帯電話１のいわゆる着せ替えを楽しむことができる。或いは、アナログ・クオーツ時計２１を前述した固定具で筐体に固定し、カバーはデザインを変えるためだけに用いても良い。この場合、時計ムーブメントはケーシングされていることが望ましい。
【００１６】
つぎに、別の実施形態を説明する。
この実施形態では、図６に示すように、アナログ・クオーツ時計３１の裏蓋を貫通して、当該アナログ・クオーツ時計３１の制御基板から延びる電源接点３２が突出し、この接点３２に対し接続可能に、表示側筐体４の凹部１４に電源接点３３が配置され、この接点３３が表示側筐体４側に内蔵された回路基板１０に接続されている。この実施形態では、表示側筐体４の凹部１４にアナログ・クオーツ時計３１を嵌合させ、アナログ・クオーツ時計３１を、フック式の固定具１５を介して、表示側筐体４に固定するだけで、電源接点３２、３３をワンタッチ接続させることができる。
【００１７】
この場合、アナログ・クオーツ時計３１は、携帯電話１の電源１２から電力の供給を受ける構成とされる。一般的にアナログ・クオーツ時計３１の消費電力は、通常の携帯電話１の消費電力に比べて格段に小さいので、これによって携帯電話１の電源消費に悪影響を及ぼすことはない。
本構成では、電源接点３２側に例えばコイルばね、板ばね等のばね（図示せず）を内蔵し、この電源接点３２を電源接点３３側に付勢する構造が望ましい。或いは、導通ピンで構成しても良い。
本実施形態では、携帯電話１とアナログ・クオーツ時計３１とが、電源接点３２、３３を介してワンタッチ接続されるため、フック式の固定具１５を取り外すだけで、余分な配線等を外すことなく、表示側筐体４から、アナログ・クオーツ時計２１を簡単に取り外すことができる。また、電源が１つになるので、個別に電池交換したり、個別に充電する必要がなくなる。
【００１８】
また、近年ではトレッキングやスキー等のアウトドアやスポーツに好適となる高度計、温度湿度計、コンパス、潮汐計、ストップウオッチなどを備えた付加機能付きの腕時計が流行している。一方、携帯電話においては、肌身離さず携帯することが慣習となりつつあり、前記付加機能が携帯電話に付与できれば、前記付加機能付きの腕時計を持ち歩く必要を無くすことができる。そこで、携帯電話１にこれら機能を有するためのセンサや電子回路を内蔵させておけば、本構成では、ディスプレイ５の時計３５とアナログ・クオーツ時計３１とが、上述した各接点３２、３３及び制御信号用接点を介して接続されるため、その表示をアナログ・クオーツ時計３１により表示することが可能になる。
何れも図示しないが、高度を分針または時針で表示しても良いし、温度を分針または時針により、且つ湿度を時針または分針により表示しても良い。また、コンパスのＮ極を分針または時針で表示しても良い。さらに、これらの表示専用の針を設け、現在時刻を表示したまま付加機能を表示できるように多軸時計を用いても良い。上記センサや電子回路は、携帯電話１に内蔵させるものに限定されず、指針時計２１側に内蔵させてもよい。この場合、前記各接点を介して携帯電話１側は定期的にデータを転送及び記録し、このデータの計時変化を電話の液晶表示側に表示するようにしてもよい。
【００１９】
上記実施形態では、アナログ・クオーツ時計３１を駆動する二次電池を、携帯電話１に内蔵させたが、これに限定されるものではない。例えば、アナログ・クオーツ時計３１のみに二次電池を設けても良いし、さらに太陽電池等の発電源を携帯電話１あるいは時計３１に内蔵させても良い。また、時計に発電源を設け、携帯電話１に二次電池を設けた構成の場合、各接点３２、３３を介して、上記発電源による発電電力を、携帯電話１の電源に充電するようにしても良い。
もちろん、その逆の構成にしても良い。よって、発電源を用いた構成にした場合には、商用電源の無い環境であっても充電残量を気にせず、安心して使用することが可能になる。
【００２０】
アナログ・クオーツ時計３１は、ムーブメント、文字板、針の他に、制御回路を含むものとしたが、別の実施形態として、例えば、表示側筐体４の内部に、制御回路を固定しておき、表示側筐体４の凹部１４には、文字板、針、ケーシングを含むモジュールを嵌め込む構成としても良い。
この場合、アナログ・クオーツ時計３１のモジュールの電源接点３２と、携帯電話１の電源接点３３の他に、これら接点と同様構成のアナログ・クオーツ時計３１のモジュールの制御信号用接点（図示せず）と、表示側筐体４側に内蔵された制御信号用接点（図示せず）とを設け、それぞれを、表示側筐体４の内側で、ワンタッチ接続可能に構成することが望ましい。この場合、例えば、各制御信号用接点を介して時刻修正信号を送る構成とすれば、各時計３１，３５の内、いずれかの時計の時刻修正がおこなわれた場合、この修正動作と連動して、他の時計の時刻も自動的に修正することができる。
【００２１】
図７は、さらに別の実施形態を示す。本実施形態では、アナログ・クオーツ時計２１の６時側が、操作側筐体２及び表示側筐体４のヒンジ側３に配置される。これによれば、図示のように、表示側筐体４をオープンさせた状態で、これを置き時計として使用することができる。
本実施形態では、本携帯電話１が置き時計として使用されるオープン角度θ（例えば、θ＝０〜９０°）では、液晶ディスプレイ５の表示電源が入らず、それを越える角度まで、表示側筐体４が開かれたとき、始めて液晶表示電源が入るように構成することが望ましい。これによると、携帯電話を目覚まし時計または置き時計として使用する場合、不要な消費電力が削減される。
【００２２】
以上、一実施形態に基づいて本発明を説明したが、本発明は、これに限定されるものではない。例えば、針式のアナログ時計であれば、クオーツ式、機械式のいずれであっても良い。また、上記携帯電話１が電波時計としての機能を備えて構成され、前記接点を介して表示側筐体４に固定されたアナログ・クオーツ時計２１の時刻を自動的に修正する機能を備えていてもよい。または、その逆の構成であっても良い。すなわち、指針時計は電波修正時計であって、指針時計が受信した時刻情報を使って、携帯電話側に内蔵された時刻をも修正する構成にしても良い。郵政省通信総合研究所により運用されている標準時刻情報（タイムコード）を乗せた長波帯の標準電波は長波帯ＪＪＹと呼ばれ、４０ＫＨｚの周波数で送出されている。これを受信して検波、復調することで標準時刻情報を取り出し、日本標準時を取得すれば良い。
なお、標準電波により時刻修正を行う技術としては、特開平１１−３０４９７３号公報の「電波修正時計」等が知られている。
【００２３】
【発明の効果】
以上説明したように、本発明では、指針表示時計を採用することで、時刻の視認性を向上させると共に、より高級感やお酒落さを演出できる。
【図面の簡単な説明】
【図１】Ａは本発明の一実施形態を示す斜視図であり、Ｂは同じく筐体を開いた状態を示す斜視図である。
【図２】本発明の一実施形態を示す断面図である。
【図３】アナログ・クオーツ時計の構成を示すブロック図である。
【図４】別の実施形態を示す断面図である。
【図５】別の実施形態を示す断面図である。
【図６】別の実施形態を示す断面図である。
【図７】別の実施形態を示す斜視図である。
【符号の説明】
１…携帯電話
２…操作側筐体
３…ヒンジ部
４…表示側筐体
５…ディスプレイ
６…スピーカー
８…操作パネル（操作キー）
９…マイク
１０…回路基板
１２…電源
１４…凹部
２１…アナログ・クオーツ時計（指針表示時計）
１５…固定具
【図１】
2004221863.tif 000003
【図２】
2004221863.tif 000004
【図３】
2004221863.tif 000005
【図４】
2004221863.tif 000006
【図５】
2004221863.tif 000007
【図６】
2004221863.tif 000008
【図７】
2004221863.tif 000009